(57)【要約】【課題】部品点数の削減を目的としている。【解決手段】ケースを構成する部材を組み立て、部材が容易には外れないように封印ピンをかしめて固定すると共に、封印ピンは、操作ハンドルをケースに軸支するための軸ピンと、過電流が発生したときに、ハンドルユニットをオフ状態へ動作させる掛合片をケースに軸支するための軸ピンと、回転動作により回路遮断器の機構を動作させる回転体をケースに軸支するための軸ピンとを兼用させる。【選択図】図１
2010027556.tif 000002
【特許請求の範囲】
【請求項１】
複数個に分割された部材を組み合わせることでケースを構成し、該ケース上面には、回路をオン・オフする操作ハンドルを設けた回路遮断器であって、前記ケースを構成する部材を組み立て、該部材が容易には外れないように封印ピンをかしめて固定すると共に、前記封印ピンは、前記操作ハンドルを前記ケースに軸支するための軸ピンと、過電流が発生したときに、ハンドルユニットをオフ状態へ動作させる掛合片を前記ケースに軸支するための軸ピンと、回転動作により前記回路遮断器の機構を動作させる回転体を前記ケースに軸支するための軸ピンとを兼用させることを特徴とする回路遮断器。
【発明の詳細な説明】
【技術分野】
【０００１】
本発明は、複数個に分割された部材を組み合わせることでケースを構成し、ケース上面には、回路をオン・オフする操作ハンドルを設けた回路遮断器に関するものである。
【背景技術】
【０００２】
従来の回路遮断器のケースの封印状態を図３に示す。回路遮断器３１のケース３２は複数個に分割された部材を組み合わせることで構成している。これらの部材は組み付けた後、誤ってまたは故意に外れないように、ピン３３を挿通しピン先をかしめて固定している。
【０００３】
回路遮断器３１のケース３２に収められる機構には、回転により動作するものが多く含まれている。ハンドルユニット３４のケース３２上面に設けられた操作ハンドル３４ａは、ケース３２内部でハンドル軸ピン３５により軸支され、回転により回路をオン・オフさせる。また、回路遮断器３１に収められる過電流による遮断機構は、端子座３６に接続されるバイメタル３７が導通する電流からの発熱により湾曲したとき、その先端が触れる位置に掛合片３８が設置される。掛合片３８は、バイメタル３７の変位により押されることで、ハンドルユニット３４をオフ状態へ動作させる。この掛合片３８は、バイメタル３７に連動するように回路遮断器３１のケース３２内部に掛合片軸ピン３９により軸支される。また、ハンドルユニット３４の動作を接点に伝える回転体４０もケース３２内部に回転体軸ピン４１により軸支される。
【特許文献１】特開平１０−１８８７７０号公報
【発明の開示】
【発明が解決しようとする課題】
【０００４】
しかしながら上記従来の回路遮断器３１の構成では、分割して構成される回路遮断器３１のケース３２を固定するピン３３と、操作ハンドル３４ａを軸支するハンドル軸ピン３５、掛合片３８を軸支する掛合片軸ピン３９、回転体４０を軸支する回転体軸ピン４１とは、別の構成となっていた。そのため、部品点数が増えており、部品管理に手間がかかっていた。
【０００５】
ケース３２を固定するピン３３と、その他ケースに軸支されている部品のピン３５，３９，４１とにはそれぞれに部品スペースが必要であり、これらをすべて収めるためにはケース３２が大型化してしまうという欠点があった。
【０００６】
また、回路遮断器３１のケース３２内部の中央には、機構部が配置されているため、ケース３２を固定するピン３３のスペースは確保できず、ケース３２の外周部でしか固定できないでいた。そのため、ケース３２の中央は、ゆがみやすくなっていた。
【課題を解決するための手段】
【０００７】
そこで本発明は、部品点数の削減を目的とし、その構造は、ケースを構成する部材を組み立て、部材が容易には外れないように封印ピンをかしめて固定すると共に、封印ピンは、操作ハンドルをケースに軸支するための軸ピンと、過電流が発生したときに、ハンドルユニットをオフ状態へ動作させる掛合片をケースに軸支するための軸ピンと、回転動作により回路遮断器の機構を動作させる回転体をケースに軸支するための軸ピンとを兼用させることを特徴とする。
【発明の効果】
【０００８】
本発明に係る回路遮断器では、ケースを構成する部材を組み立て、部材が容易には外れないように封印ピンをかしめて固定すると共に、封印ピンは、操作ハンドルをケースに軸支するための軸ピンと、過電流が発生したときに、ハンドルユニットをオフ状態へ動作させる掛合片をケースに軸支するための軸ピンと、回転動作により回路遮断器の機構を動作させる回転体をケースに軸支するための軸ピンとを兼用させるため、部品点数を削減することができ、部品管理の手間を省くことができる。封印ピンと軸ピンとは、平行に設けられているため、特別な設計の手間も発生しないので、簡単に採用することができる。また、回路遮断器の小型化も進んでおり、ピンを共用することで、ケース内の限られたスペースを有効に利用することができる。また、従来、機構部が配置されていたために、封印ピンを設けることが困難であった、回路遮断器の中央も、軸ピンと封印ピンとを共用することで、ケースの固定ができるようになり、確実な封印ができると共に、ケースの強度を補うこともできる。
【発明を実施するための最良の形態】
【０００９】
本発明に係る回路遮断器の実施例を図１〜図２の添付図面に基いて説明する。
【００１０】
回路遮断器１のケース２は、複数個に分割された部材を組み合わせることで構成される。図１では、ケース２は左部材２ａ、中部材２ｂ、右部材２ｃの三分割された部材により構成している。三部材２ａ，２ｂ，２ｃを連結するための封印ピン３を挿通する挿通穴４を、それぞれの部材２ａ，２ｂ，２ｃに設けている。挿通穴４に封印ピン３を挿通し、ピン先はかしめて、誤ってまたは故意にもケース２が分解されにくいように固定する。
【００１１】
回路遮断器１のケース２の上面には操作ハンドル５ａが設けられている。操作ハンドル５ａはハンドルユニット５の一部で、ハンドル軸ピン６により軸支されている。操作ハンドル５ａのオン・オフ操作により、回路の入り切りをするものである。回路遮断器１内で電流は、電源側端子７から固定接触子８、可動接触子９等を経て、負荷側端子１０と流れている。図２に示すようにオン状態では、ハンドルユニット５が可動接触子９を押した状態で、固定接触子８に可動接触子９が接触しているため通電される。一方オフ状態では、ハンドルユニット５が固定接触子８を引いた状態で、固定接触子８に可動接触子９が接触しないため通電されない。
【００１２】
電源側端子７の端子座１１にはバイメタル１２が接続されている。バイメタル１２は熱によって変位するので、この性質を利用して、過電流が発生したときに回路が遮断される仕組みとしている。過電流が発生したときの発熱によりバイメタル１２が変位する距離に当たるところに掛合片１３を組み付ける。掛合片１３はバイメタル１２が変位することによってバイメタル１２の一部と接触し、バイメタル１２の動きに連動してハンドルユニット５を押しオフ状態にする。掛合片１３は、回転動作によりハンドルユニット５を動作させるように、ケース内側に設けた掛合片軸ピン１４により軸支される。
【００１３】
ハンドルユニット５の動作を可動接触子９へと伝える回転体１５も、ケース２内部に回転体軸ピン１６により軸支される。
【００１４】
本発明では、ハンドルユニット５を軸支するハンドル軸ピン６と、掛合片１３を軸支する掛合片軸ピン１４と、回転体１５を軸支する回転体軸ピン１６とを、ケース２を連結するための封印ピンと兼用とする。ハンドル軸ピン６と、掛合片軸ピン１４と、回転体軸ピン１６それぞれを、ケース２外側から挿通し、ピン先をかしめてケース２の封印も行う。ハンドル軸ピン６と掛合片軸ピン１４と回転体軸ピン１６とを、それぞれ封印ピンとしてケースの連結を固定するため、従来行っていた封印ピンは減らすことができ、部品点数の削減を図る。ケース２という限られたスペースを有効に利用でき、小型化を図ることができる。回路遮断器１の中央部にも、軸ピンと共用してケース２をかしめ固定することができるため、ケース２の強度を補う。
【００１５】
本発明に係る回路遮断器は、封印ピンと共用するのは、ハンドル軸ピンと、掛合片軸ピンと、回転体軸ピンとに限定するものではなく、その他、封印ピンと同方向に設けられる軸ピンと共用することが可能である。
【図面の簡単な説明】
【００１６】
【図１】回路遮断器の内部機構を示す断面図である。
【図２】回路遮断器のケースの封印構造示す一部分解斜視図である。
【図３】従来の回路遮断器のケースの封印構造示す一部分解斜視図である。
【符号の説明】
【００１７】
１      回路遮断器
２      ケース
２ａ    左部材
２ｂ    中部材
２ｃ    右部材
３      封印ピン
４      挿通穴
５      ハンドルユニット
６      ハンドル軸ピン
７      電源端子
８      固定接触子
９      可動接触子
１０    負荷側端子
１１    端子座
１２    バイメタル
１３    掛合片
１４    掛合片軸ピン
１５    回転体
１６    回転体軸ピン
【図１】
2010027556.tif 000003
【図２】
2010027556.tif 000004
【図３】
2010027556.tif 000005